(57)【特許請求の範囲】
【請求項１】
走行車１の後部に、昇降作動機構７を介して上下作動可能に装着された田植装置９において、この田植装置９による苗植付け跡の圃場上面に薬剤を散布する薬剤散布装置２１を田植装置９の機枠側に適宜装着し、該薬剤散布装置２１を上箱体２１ａと下箱体２１ｂとに分割し、前記上箱体２１ａを後方側へ回動して開放できる構成とし、薬剤散布装置２１の薬剤散布案内枠３１を左右方向に長く前後方向幅狭の長方形状で下部を開放して構成し、この薬剤散布案内枠３１の内部中央側に薬剤タンク２９から定量づつ繰り出される薬剤を放出する薬剤落下放出口（ロ）を設け、この薬剤落下放出口（ロ）の下部側にはこの薬剤を横外側方向へ吹き飛ばして薬剤を散布する散布手段３２を設けた構成となし、前記薬剤散布装置２１の少なくとも前記薬剤散布案内枠３１を上下調節可能に構成し、該薬剤散布案内枠３１を左右スライド移動させて機体の左右中央側に寄せることができる構成とし、薬剤散布装置２１の薬剤タンク２９の下部排出口（ニ）部にシャッター４６を設け、上箱体２１ａを後方側へ回動すると前記シャッター４６が閉じる構成とした田植機装備用の薬剤散布装置。
【発明の詳細な説明】
【０００１】
【発明の属する技術分野】
この発明は、田植機に装着された薬剤散布装置に関する。
【０００２】
【従来技術】
従来は、特開平７−２５５２２３号公報に開示されたものがあった。この田植機に装備された薬剤散布装置は、下側のみ開口してそれ以外の外周部を包む左右方向に長い薬剤散布案内枠内の中央側内部に薬剤落下放出口を配置させ、この放出口から放出される薬剤を左右横外方に跳ね飛ばせる散布装置を構成したものであったが、この薬剤散布装置自体あるいは薬剤散布案内枠は上下に調節できない構成になっていた。
【０００３】
【発明が解決しようとする課題】
従来の薬剤散布装置は、左右横方向の薬剤散布の拡がりを調節することができなかった。
【０００４】
【課題を解決するための手段】
この発明は、前述の課題を解消するために次の技術的な手段を講じた。
即ち、走行車１の後部に、昇降作動機構７を介して上下作動可能に装着された田植装置９において、この田植装置９による苗植付け跡の圃場上面に薬剤を散布する薬剤散布装置２１を田植装置９の機枠側に適宜装着し、該薬剤散布装置２１を上箱体２１ａと下箱体２１ｂとに分割し、前記上箱体２１ａを後方側へ回動して開放できる構成とし、薬剤散布装置２１の薬剤散布案内枠３１を左右方向に長く前後方向幅狭の長方形状で下部を開放して構成し、この薬剤散布案内枠３１の内部中央側に薬剤タンク２９から定量づつ繰り出される薬剤を放出する薬剤落下放出口（ロ）を設け、この薬剤落下放出口（ロ）の下部側にはこの薬剤を横外側方向へ吹き飛ばして薬剤を散布する散布手段３２を設けた構成となし、前記薬剤散布装置２１の少なくとも前記薬剤散布案内枠３１を上下調節可能に構成し、該薬剤散布案内枠３１を左右スライド移動させて機体の左右中央側に寄せることができる構成とし、薬剤散布装置２１の薬剤タンク２９の下部排出口（ニ）部にシャッター４６を設け、上箱体２１ａを後方側へ回動すると前記シャッター４６が閉じる構成とした田植機装備用の薬剤散布装置とした。
【０００５】
【実施例】
この発明の一例を図面に基づき詳細に説明する。
１は乗用型の走行車である。２は操舵用の駆動型前輪、３は駆動型の後輪である。４は操縦ハンドル、５は運転座席を示す。６はエンジンである。
７は昇降作動機構で、上下リンク杆の基部側が走行車１の機枠後部に立設の支柱に回動自在に取り付けられ、上下リンク杆の先端部側にはヒッチ部材８が設けられていて、上リンク杆が油圧装置で上下回動されるように構成されている。
【０００６】
９は田植装置で、前記ヒッチ部材８に当該田植装置の左右中央部がロ−リング軸を介して左右側に傾き自由に装着されている。
この田植装置９について説明すると、フレ−ムを兼ねた伝動ケ−ス１０の前側部分の上部に苗載置台１１を左右往復作動するよう取付け、伝動ケ−ス１０の後部側で左右に分岐して突出の植付部伝動ケ−ス１０ａに前記苗載置台１１上に載置された苗Ａを分離して下部圃場面に植付機構１２を装着している。
【０００７】
この植付機構１２は、前後中心部を支軸として回転される回転ケ−ス１３の前後先端外側に回転方向及び回転数が前記回転ケ−ス１３の回転数と同一であって、角速度が一部分変化する回転軸１４ａ，１４ｂを突出させて、この各回転軸１４に苗植付具１５ａ，１５ｂを装着し、この苗植付具１５に取り付けた植付爪１６ａ，１６ｂが苗分割移植軌跡（イ）を描くよう構成している。
【０００８】
１７ａは中央部フロ−ト、１７ｂは前記中央部フロ−トの左右両側に配設した側部フロ−トであって、これらのフロ−ト１７ａ，１７ｂ，１７ｂは前記田植装置９の下側に配置され、後部を支点に前部が上下動自由となるよう植付部の伝動ケ−ス１０側に装着さてれいる。そして、これら各フロ−ト１７には圃場の表土面に溝を切る作溝器１８が取り付けられ、前記走行車１の後部側に取り付けた施肥機１９から繰り出される肥料をホ−ス２０で移送して当該作溝器１８で形成される溝内へ放出して側条施肥されるように構成されている。
【０００９】
２１は薬剤散布装置である。この薬剤散布装置２１の下部側に転動輪２２を取り付けてあり、前記田植装置９の植付部伝動ケ−ス１０ａの後端部側から後方側に延びた左右一対の支持杆２３ａ，２３ｂを介して支持ベ−ス２４を装着し、この支持ベ−ス２４の上部に上下調節用の支持体２５を介して左右横方向に延びた支持レ−ル２６を設け、この支持レ−ル２６に前記薬剤散布装置２１の転動輪２２を嵌合して載置させ、左右移動可能に設けている。支持体２５の図面に示した実施例は、支持ベ−ス２４上に立設の支持棒２４ａと支持レ−ル２６の下部に取り付けた筒軸２４ｂとを嵌合させて、この両者にピン孔を穿設し、ピン２７で両者の嵌合状態を上下調節して固定する手動型の支持体に構成している。尚、この上下調節構造は手動型に限らず、サ−ボモ−タによる伝動シリンダ−を介在した伸縮機構を介して支持するも、油圧装置で伸縮自在に支持してもよく、また、垂直状の上下に限らず回動リンク式の上下調節にしてもよく、要は、機枠部分に対して薬剤散布装置２１自体あるいは、薬剤が散布案内される後述の薬剤散布案内枠３１を上下に調節できる構成であればよい。
【００１０】
薬剤散布装置２１自体の実施例について詳述すると、前後方向に狭く、左右方向に長い箱状の上箱体２１ａと下箱体２１ｂとに分割可能に上下重ね合わして脱着具２８で上箱体２１ａを分離、あるいは後ろ側を枢支して前側を上方後方側へ回動開放できる構成にして、この上箱体２１ａ側に薬剤タンク２９とその下側に設けた薬剤繰出具３０とを設け、下箱体２１ｂ側には、その後方側下部に左右方向に長く前後方向に狭い幅の薬剤散布案内枠３１を一体的に構成し、この薬剤散布案内枠３１の内部で左右中央側に前記薬剤繰出具３０により薬剤が繰り出されて放出される薬剤落下放出口（ロ）を配置している。そして、この薬剤落下放出口（ロ）の下側には落下放出される薬剤を横外側方へ跳ね（又は吹き）飛ばせる散布手段としての起風ロ−タ３２を設けている。３３は伝動モ−タを示す。３４は薬剤散布案内傾斜板、３５は仕切板を示す。尚、前記薬剤散布案内枠３１を下箱体２１ｂと別体にして、薬剤散布案内枠３１を下箱体２１ｂに対して上下調節できる構成にしてもよい。
【００１１】
薬剤繰出具３０の構成について、簡単に説明すると、牡型フォ−クが軸方向に嵌合量を調節設定できる雌溝を穿った繰出ロ−ル３６を前記薬剤タンク２９の下部排出口（ニ）の下側に回転可能に軸架し、この回転軸３７をラチェット歯車とラチェット爪とからなるラチェット回転機構３８を介して矢印（ホ）側に駆動できる構成とする。３９はラチェットレバ−を示す。
【００１２】
前記ラチェットレバ−３９は、前記植付装置１２の苗植付具１５ａ，１５ｂの外側部を互いに板体４０で枢結し、この板体４０に取り付けた回転ケ−ス１３の回転中心線状部から外れた偏心位置に設けたクランクピン４１に枢着のクランクロッド４２に連繋されている。そして、この回転ケ−ス１３の回転によりラチェット回転機構３８を介して薬剤繰出具３０が伝動回転され、薬剤タンク２９から薬剤が定量づつ繰り出される構成になっている。尚、前記クランクロッド４２とラチェットレバ−３９との連繋にあたり、ラチェットレバ−３９側の連結点までの長さ調節をすれば、繰出ロ−ル３６の回転数を調節でき、薬剤繰出量の変更調節ができる。また、前記クランクピン４１を、前記板体４０に穿った回転ケ−ス１３の回転中心部を通る長孔４３部分に取り付ける構成となし、ピン４１の位置を調節して回転中心からの偏心寸法を変更調節することによっても繰出量を変えることができる。そして、ピン４１の位置を回転中心（ヘ）に合致させるとクランクロッド４２が作動せず、薬剤の繰出しを停止させることができる。尚、ラチェットレバ−３９とクランクロッド４２とは脱着可能に連繋されている。
【００１３】
前記薬剤散布案内枠３１は、薬剤を左右横方向の広い範囲に吹き飛ばせるための案内枠のために散布装値の本体部分の左右幅よりも相当広幅に形成され、田植装値１２の横全幅よりも広くなる。したがって、田植機を路上走行させる場合や、格納時に邪魔になることがあるが、このような場合には薬剤散布装置２１を車体の左右中央位置にセットして、更に、前記薬剤散布案内枠３１の構成を第７図及び第８図で示したように左右スライド自由にして適宜所定位置にセットできるようにしておけば、外薬剤散布案内枠３１の位置を機体の中央側に寄せて左右全幅を縮少させることができる。尚、図例では、５条型の田植装値であるから薬剤散布装値２１を一基装備するものであるが、８条植え田植装値のように大型化したものでは二基装備することになり、左右側に所定幅の間隔で配設装着した薬剤散布装値２１を共に左右中央側に寄せてセットならしめ、且つ薬剤散布案内枠３１を幅狭になるよう移動させてセットすることになる。図例では、薬剤散布案内枠３１ａを下箱体２１ｂに係止状態で左右スライド自在に構成している。即ち、下箱体２１ｂ側に固着のナット４４に、螺合させたセットボルト４３に薬剤散布案内枠３１ａに穿設の長孔４５を挿通させてあり、該薬剤散布案内枠３１ａを移動させて固着できるようになっている。
【００１４】
第９図の実施例は、薬剤タンク２９に入れられた薬剤が作業終了時に余った場合に、これを簡単に取り出す構成に関する。前記薬剤タンク２９の下部排出口（ニ）部にシャッタ−４６を設け、このシャッタ−４６をスプリング４７で閉じ方向へ弾持させると共に、開放させた状態に保持する係止凹部（ト）を有する骨子４８をシャッタ−４６の裏面に固着し、この係止凹部（ト）に係止ピン４９を係止するようスプリング５０で付勢するよう構成し、この係止ピン４９を下箱体２１ｂ側に枢着するカム５１に長孔を穿ってピン５２で連結し、前記上箱体２１ａを回動支点ピン５３の回りで後方側へ回動して下箱体２１ｂから上箱体２１ａの前側を開く時に、上箱体２１ａ側に設けた突起カム５４が前記カム５１に突き当たって係止ピン４９を下方へ引き、該ピン４９が係止凹部（ト）から外れてシャッタ−４６が瞬時にスプリング４７の張力で閉じられるように構成している。したがって、薬剤タンク２９の上部口から容易に残りの薬剤が取り出せる。尚、該薬剤タンク２９に薬剤取出口５５を設けておけば、更に便利になる。
【００１５】
図中５６は薬剤タンクの上部に設けられたカバ−を示す。
上例の作用について説明すると、走行車１の後部に田植装置９及び薬剤散布装置２１を装着した乗用型田植機を植付圃場に乗り入れて、田植装置９の下部側に装着した整地用の各フロ−ト１７の下面が圃場の表土面に接地するよう田植装置９を下降ならしめ、この状態で各部を駆動して苗植付作業を開始する。
【００１６】
すると、走行車１の推進と同時に植付装値１２の回転ケ−ス１３に取り付けられた植付爪１６が苗載置台１１から苗を分割して苗分割移植軌跡（イ）を描いて圃場表面に苗を植付る。また、これと同時に施肥機１９により粒状の肥料がフロ−トに取り付けられて溝を形成する作溝器１８に供給されて側条施肥が行われる。更に、薬剤散布装置２１により薬剤タンク２９中に収容した薬剤が薬剤繰出具３０の繰出ロ−ル３６で定量づつ下方へ繰り出され、この繰り出された薬剤が起風ロ−タ３２で吹き飛ばされ、薬剤散布案内枠３１内の上部に張設された天井傾斜板で上方への吹き上げが防止されながら下方側の横方向へ広げられながら落下排出され植えられた苗の上面部にも散布される。
【００１７】
このようにして、除草剤あるいは病虫防除剤が圃場面に散布されて薬剤効果をあげることができる。ところが、この薬剤散布装置２１で左右横方の薬剤散布幅を狭くする場合、或は広くする場合には、前記起風ロ−タ３２の気風力を調節することで対応することになるが、この場合には気風力を強くすると外側方向の薬剤密度が高くなってロ−タ３２の直下部分は殆ど薬剤が散布されな状態になり、逆に、弱くするといロ−タ３２の直下部分の薬剤分布が高く外側ほど疎になって薬剤の邑が生じることになる。そこで、この発明の実施例の如く、この薬剤散布装置２１の高さを支持体２５により上下に適宜調節するとよい。即ち、高くすると全体的には薄くなるが左右の薬剤分布幅が広くなり、低くすると逆に左右の薬剤分布幅を狭くできる。この場合に、薬剤の散布量を調節する必要があるが、実施例ではラチェット回転機構３８のラチェットレバ−３９のレバ−作動寸法を調節あるいは苗植付具１５に取り付けた板体４０のクランクピン４１の回転偏心寸法を調節することにより繰出ロ−ル３６の回転角度を変更ならしめて薬剤の繰出量を調節するとよい。
【００１８】
また、この薬剤散布装置２１を、実施例の５条植え田植機よりも多条植えの８条型田植機や１０条植え田植機に装着する場合にはこの散布装置２１の取付け位置を高くして繰出量を多く調節すればよく、単一の薬剤散布装置を共用することも可能になる。
【００１９】
【発明の作用効果】
この発明によれば、田植装置９に装着する除草剤や病虫防除剤を散布する薬剤散布装置２１であって、左右横方向に薬剤をほぼ均一状態に散布させるものでありながら、この散布有効左右幅を薬剤散布案内枠３１の上下動調節により簡単に調節できる。また、薬剤散布案内枠３１を左右スライド移動させて機体の左右中央側に寄せることができる構成としたので、機体の左右全幅を縮小させることができる。更に、薬剤散布装置２１の薬剤タンク２９の下部排出口（ニ）部にシャッター４６を設け、上箱体２１ａを後方側へ回動すると前記シャッター４６が閉じる構成としたので、薬剤タンク２９から容易に残りの薬剤が取り出せる。
【図面の簡単な説明】
【図１】側面図
【図２】要部の側面図
【図３】要部の平面図
【図４】要部の側断面図
【図５】要部の一部断面した背面図
【図６】要部の側面図
【図７】要部の側断面図
【図８】第７図における要部の背面図
【図９】要部の側断面図
【符号の説明】
１      走行車
７      昇降作動機構
９      田植装置
２１    薬剤散布装置
２１ａ  上箱体
２１ｂ  下箱体
２５    上下調節用の支持体
２９    薬剤タンク
３１    薬剤散布案内枠
３２    散布手段
４６    シャッター
ロ      薬剤落下放出口
ニ      下部排出口
【図１】
0003543472.tif 000002
【図２】
0003543472.tif 000003
【図３】
0003543472.tif 000004
【図４】
0003543472.tif 000005
【図５】
0003543472.tif 000006
【図６】
0003543472.tif 000007
【図７】
0003543472.tif 000008
【図８】
0003543472.tif 000009
【図９】
0003543472.tif 000010